(57)【要約】【課題】家族の近くで故人を供養したいと思うが、新たにお墓を立てるのを躊躇する場合の選択肢として考えられる方法である遺骨（遺灰）を自宅で保管する手元供養のために、屋内である自宅に遺骨を細かく粉砕すること無く、そのままの形で収納することができる遺骨収納体を提供すること。【解決手段】火葬後の遺骨を収納して家の中に設置することができる手元供養用として使用するセラミック焼結体から形成される遺骨収納体１であって、遺骨を収納するための空洞部２と、空洞部２（空洞部２の立体形状は、遺骨を収納した際に、該遺骨と空洞部３の間に隙間ができる程度の容積を備えている）から外部に繋がる通気路３（通気路３が釉薬で塞がれている）を備えていることを特徴とする遺骨収納体１とした。【選択図】図１
2020062229.tif 000002
【特許請求の範囲】
【請求項１】
火葬後の遺骨を収納して家の中に設置することができる手元供養用として使用するセラミック焼結体から形成される遺骨収納体であって、
遺骨を収納するための空洞部と、
前記空洞部から外部に繋がる通気路とを備えていることを特徴とする遺骨収納体。
【請求項２】
前記通気路が釉薬で塞がれていることを特徴とする請求項１に記載の遺骨収納体。
【請求項３】
前記空洞部の立体形状は、遺骨を収納した際に、該遺骨と前記空洞部の間に隙間ができる程度の容積を備えることを特徴とする請求項１または請求項２に記載の遺骨収納体。
【発明の詳細な説明】
【技術分野】
【０００１】
本発明は、火葬後の遺骨を屋外のお墓に納骨するのではなく、屋内である自宅に遺骨を細かく粉砕することなく、そのままの形で収納することができる手元供養用としての遺骨収納体に関する。
【背景技術】
【０００２】
近年、「大家族の中で生まれ育ち、生まれた地域で一生を終える」というライフスタイルが激減する傾向にあり、墓を守るべき人が高齢になってしまうと、体力的に遠方にある先祖のお墓参りが困難になってしまう。要するに、墓参りをしてくれる人（墓を守る人）がこの先存在しなくなる等の理由により、いわゆる「墓仕舞い」をする人が増えている。一方で、将来的に考えると結局は「墓仕舞い」をすることになるであろうことが、前もって予想されるため、最初からお墓を持たず、少しの遺骨を手元に置き（いわゆる手元供養）残りの遺骨（遺灰）を散骨する等、以前とは供養の様式が大きく変貌している。
【０００３】
家族の近くで故人を供養したいと思うが、新たにお墓を立てるのを躊躇する場合の選択肢として考えられる方法の一つに、遺骨（遺灰）を自宅で保管する手元供養という方法が考えられる。手元供養は、故人の「骨」を供養の対象としたものであり、一般的な葬送の方法である寺院等への納骨の代わりに、或いは、納骨を行ったうえにさらに、遺骨を自宅等で保管し、慰霊の場を身近に置いて故人を偲ぶという概念である。手元供養は遺族の裁量で供養でき、費用もあまりかからない方法として近年注目が集まっている。手元供養をする際は、家の中に遺骨を置くことになるので、カビ繁殖防止のため遺骨を洗って乾かし殺菌した後、骨壷等へ遺骨を収納することになるのであるが、高温多湿な場所で何らかの栄養が揃えば遺骨にカビが生えてしまうことにも細心の注意を払う必要があり、係る状況において現状では相応しい骨壷等がない状況であった。
【０００４】
特許文献１には、室内や仏壇に配置しても違和感が生じることがなく、且つ、故人を身近に感じ、さらに故人の供養を自然に行うことができる遺骨構造体を提供すること（特許文献１：課題）を課題として、粉体状に粉砕された遺骨粉体を用いて形成される遺骨構造体（３Ｄプリンターや成型により製作される仏像等）が開示されている。特許文献１に記載された遺骨構造体は、仏像、愛玩動物、人体の一部等の形状に製作される。すなわち、火葬後の遺骨を粉砕して樹脂等に分散させることにより製作された仏像等が開示されている。
【先行技術文献】
【特許文献】
【０００５】
【特許文献１】特開２０１５−１１２４６３号公報
【発明の概要】
【発明が解決しようとする課題】
【０００６】
特許文献１に係る「遺骨構造体（特許文献１：発明の名称）」は、粉体上に粉砕された状態の遺骨を遺骨構造体の内部、すなわち、仏像等に形取られる樹脂中に分散させている。具体的には、仏像等は光硬化性樹脂に遺骨を粉砕したものを混ぜて、３Ｄプリンターを用いて製作している。このことから解るように、遺骨をそのままの状態で墓標（としての仏像等）に収納するのではなく、火葬後の遺骨を粉砕機等の機械を用いて所望の粉体に粉砕（特許文献１：段落００１６）された状態にすることが求められる。そもそも、大事な遺骨を、粉砕機を使用して粉砕してしまうようなことは、遺族感情を考慮すれば全く容認できない面もあり、火葬後の遺骨を粉砕することなく、そのままの形で収納することができるものが求められていた。
【０００７】
本発明の目的は、火葬後の遺骨を屋外のお墓に納骨するのではなく、屋内である自宅に遺骨を細かく粉砕することなく、そのままの形で収納することができる遺骨収納体を提供することにある。
【課題を解決するための手段】
【０００８】
上記課題を解決するために、請求項１に記載された発明は、火葬後の遺骨を収納して家の中に設置することができる手元供養用として使用するセラミック焼結体から形成される遺骨収納体であって、遺骨を収納するための空洞部と、前記空洞部から外部に繋がる通気路とを備えていることを特徴とする遺骨収納体であることを特徴とするものである。
【０００９】
請求項２に記載された発明は、請求項１において、前記通気路が釉薬で塞がれていることを特徴とする請求項１に記載の遺骨収納体であることを特徴とするものである。
【００１０】
請求項３に記載された発明は、請求項１または請求項２において、前記空洞部の立体形状は、遺骨を収納した際に、該遺骨と前記空洞部の間に隙間ができる程度の容積を備えることを特徴とする請求項１または請求項２に記載の遺骨収納体であることを特徴とするものである。
【発明の効果】
【００１１】
本発明は、火葬後の遺骨を粉砕することなくそのままの状態で、自宅に設置することができる手元供養用の遺骨収納体である。請求項１に記載の遺骨収納体は、遺骨を収納するための空洞部と、前記空洞部から外部に繋がる通気路を備えている。遺骨収納体は、セラミック焼結体（陶磁器）により形成されているので、金属やガラス等からは得られない温かみのある質感に仕上げることができる。しかも、長期間の使用に対しても衛生的であり、耐火性・耐食性においても優れていると言える。さらに言えば、空洞部と外部を結ぶ通気路を備えているので、遺骨の中には故人の魂が宿っていると考える人もいることより、遺族にとっては骨になってしまった故人が完全に密閉状態になってしまうのではないので、閉塞感等により苦しく感じないだろうということで、心穏やかに故人を供養できると思われる。
【００１２】
請求項２に記載の遺骨収納体は、通気路の先端が釉薬により塞がれているので、外部から空気が入ることが全くないので、長期間の保存に対して強く、具体的には遺骨に対するカビ等の発生を完全に防止することができる。
【００１３】
請求項３に記載の遺骨収納体の空洞部の形状は、遺骨を収納した際に、該遺骨と空洞部の間に隙間ができる程度の容積を備えている（収納する遺骨の立体形状と相似関係にある形状であっても良い）ので、例えば、遺骨の咽仏の部分にあたる部分を立体形状そのままでセラミック焼結体（陶磁器）から形成される納骨本体部と遺骨との間に隙間を持たせた状態で一体化することができる。隙間があるということで、遺族にとっては骨になってしまった故人が完全に密閉状態になってしまうのではないので、苦しく感じないだろうということで、心穏やかに故人を供養できると思われる。
【図面の簡単な説明】
【００１４】
【図１】本発明に係る遺骨収納体の全体図である。
【図２】遺骨収納体を供養のために家の中に設置する際の状態を示した図である。
【発明を実施するための形態】
【００１５】
＜遺骨収納体の構造＞
以下、本発明に係る遺骨収納体の一実施形態について、図１〜図２に基づいて詳細に説明する。図１は、本発明に係る遺骨収納体１の全体図である。
【００１６】
本発明に係る遺骨収納体１は、図１に記載したように、遺骨を収納するための空洞部２と、空洞部２から外部に繋がる通気路３を備えており、セラミック焼結体から形成されている。尚、セラミック焼結体とは、端的に言えば陶磁器のことであり、天然に産出する土や石の粉末を所定の形状に成型（本発明においては遺骨を埋め込んだ状態に）した後、所定の温度で所定の時間焼成することにより得られる。
【００１７】
遺骨収納体１は、図１に記載したように、外観的にブロック形状のものであっても良いが、そのような形状のものに限定されない。すなわち、遺骨収納体１は、故人をしのぶための手元供養を行う際、ミニチュア墓、祭壇、飾り台等として（あるいはそれらの一部として）採用されたり、位牌の代わりに用いられたりするものであるので、遺骨を収納するための空洞部２と空洞部２から外部に向かって通気路３を備えたものであれば良く、特に外観的な形状に制限はなく、その上、色彩およびデザインについても自由に選択することができる。たとえば、ペット愛好家が亡くなったペットを供養する目的で、犬、猫等の動物の姿を象った形状のものとすることも可能であるし、位牌のような形状（須弥壇形の台の上に縦長な札を設けた形状）のものとすることも可能である。
【００１８】
空洞部２の形状は、収納する遺骨と同じ立体形状であるが、遺骨を収納した際に、遺骨と空洞部２の間に隙間ができる程度の容積を備えていても良い。具体的には、遺骨と遺骨収納体１の間に生じる隙間の寸法は０．５ｍｍ〜１．５ｍｍであっても良い。空洞部２から外部に繋がる通気路３は、断面がφ１ｍｍ〜φ３ｍｍ程度の円筒形状（断面は、略円筒形状であっても良いし、不定形状であっても良い）であり、通気路３の延伸形態は、細長い円筒形状が全体として直線状になっていても良いし、自由な曲線状であっても良く、単に外部に通じていればどのような延伸形態であっても良い。
【００１９】
＜遺骨収納体の設置状態＞
図２は、遺骨収納体１を（手元供養をする場面において）供養のために家の中に設置する際の状態を示した図である。実際に手元供養をする際は、本発明に係る遺骨収納体１を、ミニチュア墓（陶器製）の一部として飾ることができるし（図２参照）、祭壇等の一部として飾ることもできる。
【００２０】
すなわち、遺骨収納体１を手元供養のために家の中に設置する事例として、遺骨収納体１は、ミニチュア墓形式にする場合は、墓碑の土台（図２参照）として採用することもできるし、図２に記載した如くミニチュア墓形式の一部としてではなく、（図示はしないが）ステージタイプのミニ祭壇形式（簡易祭壇形式）の飾り台の一部として採用することもできる。
【００２１】
＜遺骨収納体の製造方法＞
本発明に係る遺骨収納体１は、セラミック焼結体（簡単に言えば陶磁器）であり、天然に産出する土や石を粉砕した粉末を所定の形状に（遺骨と一緒に）成型した後、焼成することにより得られる。一般的には「木節粘土」「蛙目（がいろめ）粘土」等のほかに「カオリン」や「セリサイト」と呼ばれる粘土を主体とする原料が使われる。
【００２２】
遺骨収納体１は、焼成する前の（上述したような）粘土材料の中に遺骨を埋め込んで、種々の形状に成形してから焼成するのであるが、製造方法におけるポイントは、焼成前の成型した粘土材料に（埋め込んだ遺骨よりも容積が大きい）空間部２（となる部分）と（ガス抜きのための）通気路３（となる部分）を形成しておくことである。尚、通気路３の径は遺骨収納体１の全長の５％程度（３％〜７％）であっても良い。
【００２３】
遺骨収納体１を形成するための、焼成前の粘土材料は（焼成時における熱によって）焼き固められる際に収縮するので、粘土材料の中に埋め込んだ遺骨（熱によっても収縮しない）の存在により、遺骨収納体１が破壊されてしまうことになるからである。さらに、焼成時に粘土材料を固めるためのバインダー（樹脂系材料）の排気口を形成しておく必要があるからである。遺骨収納体１の製造時においては、（バインダーを分散混入させた）粘土材料に水を加えて柔らかくし、隙間を生じさせつつ、遺骨を埋め込んでから、通気路３を形成し、乾燥させる。
【００２４】
その後、窯に入れて８００℃の温度で１１時間程度素焼きを行う。素焼き品は、窯の温度が１００℃以下になるまで窯の中で放置する。窯の温度が１００℃以下になったのを確認して窯から取り出した後、釉薬を塗り乾燥させる。この際、通気路３の先端を塞いだ状態にする必要があるので、通気路３を塞ぐように釉薬を塗布する。さらに、窯に入れて１２００℃で１８時間本焼成する（本焼成）。窯の温度が１００℃以下になるのを待って窯出しを行う。最終的に、遺骨収納体１の表面を綺麗に磨く等の仕上げ作業を行うことで本発明に係る遺骨収納体１は完成品となる。
【００２５】
＜遺骨収納体の効果＞
本発明は、火葬後の遺骨を粉砕すること無くそのままの状態で、家の中に設置することができる手元供養用の遺骨収納体１である。大切な人が亡くなった時、遺族の心を覆ってしまう深い悲しみがある。遺族によっては、悲しみの底から抜け出せなくなってしまうような状況も決して少なくない。かかる状況であっても、本発明の遺骨収納体１であれば、遺骨が粉砕されるのではなく（故人の遺骨が粉砕されると遺族は苦痛を感じてしまう）そのままの形の遺骨を身近において、いつでも好きな時に語りかけ、手に触れ、祈りを捧げる手元供養をすることができる。すなわち、故人の「いのちの証」とも言える遺骨と一体化した遺骨収納体１が、故人の代わりとなって心を癒し、遺族を勇気づけてくれる大切な存在とすることができる。
【００２６】
遺骨収納体１はセラミック焼結体により形成されているので、金属やガラス等からは得られない温かみのある質感に仕上げることができるだけでなく、陶磁器に絵付けを施すことで色彩も豊かで、かつ、デザインも自由に選択することができるため、世界に一つだけのデザイン性に優れた遺骨収納体１を製作することができる。
【００２７】
さらに言えば、空洞部２と外部を結ぶ通気路３を備えているので、遺骨には故人の魂がこもっていると考える人もいることより、遺族にとっては骨になってしまった故人が完全に密閉状態になってしまうのではないので、苦しく感じないだろうということで、心穏やかに供養することができると思われるし、手元供養のために、骨壺等を別途用意する必要がない。一方、空洞部２と外部を結ぶ通気路３は釉薬によって塞がれており、外部から空気が入ることが全くないので、長期間の保存に対して強く、具体的には遺骨に対するカビ等の発生を完全に防止することができる。
【００２８】
遺骨収納体１は、空洞部２の形状は、遺骨を収納した際に、該遺骨と空洞部２の間に隙間ができる程度の容積を備えているので、例えば、咽仏の部分にあたる遺骨を立体形状そのままでセラミック焼結体からなる遺骨収納体１と遺骨との間に隙間を持たせた状態で一体化することができる。すなわち、故人イコール遺骨収納体１であると認識することができるので、残された遺族は、供養の「し甲斐」があるとより強く感じることができる。そうすることで、ご遺族がご自身で悲しみから立ち直っていくことは、故人にとってもいちばんのご供養となると思われる。さらに、隙間があるということで、遺族にとっては骨になってしまった故人が完全に密閉状態になってしまうのではないので、苦しく感じないだろうということで、心穏やかに故人を供養できると思われる。
【００２９】
＜遺骨収納体の変更例＞
本発明に係る遺骨収納体は、上記した各実施形態の態様に何ら限定されるものではなく、空洞部、納骨本体部、通気路等の構成を、本発明の趣旨を逸脱しない範囲で、必要に応じて適宜変更することができる。
【産業上の利用可能性】
【００３０】
本発明に係る遺骨収納体は、上記の如く優れた効果を奏するものであるので、手元供養の祭壇等の一部として採用される墓標としての遺骨収納体として好適に用いることができる。
【符号の説明】
【００３１】
１・・遺骨収納体
２・・空洞部
３・・通気路
【図１】
2020062229.tif 000003
【図２】
2020062229.tif 000004